(57)【要約】複数番組の同時記録を達成できるように、各々映像音声情報の圧縮機能と伸張機能とを有する第１及び第２のシステムＬＳＩ（１０，２０）をデータバス（３０）で連結し、一方のシステムＬＳＩにハードディスクドライブ（３３）を接続する。しかも、録画中の番組のリアルタイム表示と追っかけ再生表示との同期を実現できるように、第１のシステムＬＳＩの映像音声入力のうちの同期信号を第２のシステムＬＳＩに供給し、第２のシステムＬＳＩの映像音声出力を第１のシステムＬＳＩに他の映像音声入力として供給する。【特許請求の範囲】
【請求項１】
複数番組の同時記録が可能な映像音声記録再生装置であって、
各々映像音声入力に圧縮処理を施す機能と、映像音声データに伸張処理を施す機能と、互いの間でデータ転送を実行する機能とを有する複数のＬＳＩと、
前記複数のＬＳＩのうちのいずれかに接続されたディスクドライブと、
前記複数のＬＳＩのうち第１のＬＳＩが映像音声入力に圧縮処理を施して得た映像音声データを前記ディスクドライブへ記録している間に、前記複数のＬＳＩのうち第２のＬＳＩが前記ディスクドライブに既に記録された映像音声データをもとに映像音声出力を得るとき、前記第２のＬＳＩの映像音声出力を前記第１のＬＳＩの映像音声入力に同期させるための同期手段とを備えたことを特徴とする映像音声記録再生装置。
【請求項２】
請求項１記載の映像音声記録再生装置において、
前記複数のＬＳＩの各々は、
前記圧縮処理と前記伸張処理とを司る映像音声処理部と、
前記データ転送を司るデータ転送制御部とを有することを特徴とする映像音声記録再生装置。
【請求項３】
請求項２記載の映像音声記録再生装置において、
前記複数のＬＳＩのうちの少なくとも１つは、光ディスク駆動機構へのアクセスを制御する光ディスク制御部を更に有することを特徴とする映像音声記録再生装置。
【請求項４】
請求項２記載の映像音声記録再生装置において、
前記複数のＬＳＩの各々は、当該ＬＳＩに接続されたメモリへのアクセスを制御するメモリ制御部を更に有することを特徴とする映像音声記録再生装置。
【請求項５】
請求項４記載の映像音声記録再生装置において、
前記同期手段は、前記第２のＬＳＩの映像音声出力が前記第１のＬＳＩの映像音声入力に同期するように、前記第２のＬＳＩが前記ディスクドライブから読み出した映像音声データを当該第２のＬＳＩに接続されたメモリ上でバッファリングさせることを特徴とする映像音声記録再生装置。
【請求項６】
請求項４記載の映像音声記録再生装置において、
前記同期手段は、前記第２のＬＳＩの映像音声出力が前記第１のＬＳＩの映像音声入力に同期するように、前記第２のＬＳＩが伸張処理により得た映像音声出力を当該第２のＬＳＩに接続されたメモリ上でバッファリングさせることを特徴とする映像音声記録再生装置。
【請求項７】
請求項４記載の映像音声記録再生装置において、
前記第２のＬＳＩの映像音声出力は、前記第１のＬＳＩに接続され、
前記同期手段は、前記第２のＬＳＩの映像音声出力が前記第１のＬＳＩの映像音声入力に同期するように、前記第１のＬＳＩが得た前記第２のＬＳＩの映像音声出力を前記第１のＬＳＩに接続されたメモリ上でバッファリングさせることを特徴とする映像音声記録再生装置。
【請求項８】
請求項１記載の映像音声記録再生装置において、
前記複数のＬＳＩのうちの少なくとも１つは、２つの映像音声入力に時分割で圧縮処理を施す機能を有することを特徴とする映像音声記録再生装置。
【発明の詳細な説明】
【技術分野】
【０００１】  本発明は、複数番組の同時記録が可能な映像音声記録再生装置に関するものである。
【背景技術】
【０００２】  受信した放送番組に係る映像音声情報をディスク媒体に記録する際には、通例、エンコーダにより映像音声情報に圧縮処理を施す。再生の場合には、伸張処理を実行するためのデコーダを動作させる。【０００３】  ある従来技術によれば、例えばハードディスクがらＤＶＤ（ｄｉｇｉｔａｌ  ｖｅｒｓａｔｉｌｅ  ｄｉｓｋ）へのダビング中でも通常の記録再生動作を実行できるように、録画用の第１エンコーダと、再生用の第１デコーダとに加えて、ダビング用に第２デコーダ及び第２エンコーダが設けられる。ダビングを行わない場合には、第１エンコーダと第２エンコーダとを並列動作させることにより、２番組同時記録を実現することが可能である。更に第１デコーダを併用することで、２番組同時記録を行いつつ別の番組を再生することも可能である（特許文献１参照）。
【特許文献１】特開２００３−２２４８１３号公報
【発明の開示】
【発明が解決しようとする課題】
【０００４】  上記従来技術は、３番組以上の同時記録への拡張性に欠けるものであった。また、録画中の番組のリアルタイム表示と追っかけ再生表示との切り替えに際して、映像音声出力に乱れが生じるという問題もあった。【０００５】  本発明の目的は、同時に記録できる番組数を容易に増加させることができ、かつ録画中の番組のリアルタイム表示と追っかけ再生表示との同期をも容易に実現できる映像音声記録再生装置を提供することにある。
【課題を解決するための手段】
【０００６】  上記目的を達成するため、本発明は、各々映像音声処理部を有する複数のＬＳＩを連結することで複数番組の同時記録を達成するとともに、あるＬＳＩの入力と他のＬＳＩの出力との間の同期を実現することとしたものである。【０００７】  具体的に説明すると、本発明に係る映像音声記録再生装置は、複数番組の同時記録が可能な映像音声記録再生装置であって、各々映像音声入力に圧縮処理を施す機能と、映像音声データに伸張処理を施す機能と、互いの間でデータ転送を実行する機能とを有する複数のＬＳＩと、前記複数のＬＳＩのうちのいずれかに接続されたディスクドライブと、前記複数のＬＳＩのうち第１のＬＳＩが映像音声入力に圧縮処理を施して得た映像音声データを前記ディスクドライブへ記録している間に、前記複数のＬＳＩのうち第２のＬＳＩが前記ディスクドライブに既に記録された映像音声データをもとに映像音声出力を得るとき、前記第２のＬＳＩの映像音声出力を前記第１のＬＳＩの映像音声入力に同期させるための同期手段とを備えることとしたものである。
【発明の効果】
【０００８】  本発明によれば、同時に記録できる番組数を容易に増加させることができ、かつ録画中の番組のリアルタイム表示と追っかけ再生表示との同期をも容易に実現できる。
【図面の簡単な説明】
【０００９】
【図１】図１は、本発明に係る映像音声記録再生装置の構成例を示すブロック図である。
【図２】図２は、図１中の１個のシステムＬＳＩの内部詳細構成例を示すブロック図である。
【符号の説明】
【００１０】１０，２０  システムＬＳＩ
１１，２１  映像音声処理部
１２，２２  光ディスク制御部
１３，２３  メモリ制御部
１４，２４  データ転送制御部
３０  データバス
３１，３２  メモリ
３３  ハードディスクドライブ（ＨＤＤ）
３４  光ディスク駆動機構
３５  ホスト装置
１１１ａ，１１１ｂ  アナログデジタル変換部（ＡＤＣ）
１１２  エンコーダ
１１３  デコーダ
１１４  ストリーム制御部
１２１  サーボ制御部
１２２  信号処理部
１２３  ホスト制御部
【発明を実施するための最良の形態】
【００１１】  図１は、本発明に係る映像音声記録再生装置の構成例を示している。図１の映像音声記録再生装置は、第１及び第２のシステムＬＳＩ１０，２０と、第１及び第２のメモリ３１，３２と、ハードディスクドライブ（ＨＤＤ）３３と、光ディスク駆動機構３４と、ホスト装置３５とを備えている。【００１２】  第１のシステムＬＳＩ１０は、映像音声処理部１１と、光ディスク制御部１２と、メモリ制御部１３と、データ転送制御部１４とを有する。映像音声処理部１１は、２系統の映像音声入力ＩＮ１１，ＩＮ１２と、１系統の映像音声出力ＯＵＴ１とを持ち、メモリ制御部１３及びデータ転送制御部１４に接続されている。光ディスク制御部１２もまた、メモリ制御部１３及びデータ転送制御部１４に接続されている。メモリ制御部１３は、第１のメモリ３１に接続されている。映像音声処理部１１及び光ディスク制御部１２は、メモリ制御部１３を介して第１のメモリ３１を共有する。【００１３】  第２のシステムＬＳＩ２０も同様に、映像音声処理部２１と、光ディスク制御部２２と、メモリ制御部２３と、データ転送制御部２４とを有する。映像音声処理部２１は、２系統の映像音声入力ＩＮ２１，ＩＮ２２と、１系統の映像音声出力ＯＵＴ２とを持ち、メモリ制御部２３及びデータ転送制御部２４に接続されている。光ディスク制御部２２もまた、メモリ制御部２３及びデータ転送制御部２４に接続されている。メモリ制御部２３は、第２のメモリ３２に接続されている。映像音声処理部２１及び光ディスク制御部２２は、メモリ制御部２３を介して第２のメモリ３２を共有する。【００１４】  更に、第１のシステムＬＳＩ１０の一方の映像音声入力ＩＮ１１のうちの同期信号ＳＹＮＣが第２のシステムＬＳＩ２０の映像音声処理部２１に供給され、第２のシステムＬＳＩ２０の映像音声出力ＯＵＴ２が第１のシステムＬＳＩ１０の映像音声処理部１１に映像音声入力ＩＮ１２として供給される。第１のシステムＬＳＩ１０と第２のシステムＬＳＩ２０との間のデータ転送は、それぞれのデータ転送制御部１４，２４の間に設けられたデータバス３０を介して実行される。ＨＤＤ３３は第１のシステムＬＳＩ１０のデータ転送制御部１４に、光ディスク駆動機構３４は第２のシステムＬＳＩ２０の光ディスク制御部２２に、ホスト装置３５は第２のシステムＬＳＩ２０のデータ転送制御部２４にそれぞれ接続されている。光ディスク駆動機構３４は、例えばＤＶＤ−Ｒ、ＤＶＤ−ＲＷ等の光ディスクが装着されるものである。ホスト装置３５は、例えばマイクロコントローラである。【００１５】  図２は、第１のシステムＬＳＩ１０の映像音声処理部１１と光ディスク制御部１２との各々の内部詳細構成例を示している。第２のシステムＬＳＩ２０の内部構成は第１のシステムＬＳＩ１０と同様であるので、第１のシステムＬＳＩ１０のみについて説明する。【００１６】  映像音声処理部１１は、第１及び第２のアナログデジタル変換部（ＡＤＣ）１１１ａ，１１１ｂと、１個のエンコーダ１１２と、１個のデコーダ１１３と、ストリーム制御部１１４とを有する。第１及び第２のＡＤＣ１１１ａ，１１１ｂは、各々１系統の映像音声入力をデジタル情報に変換する。エンコーダ１１２は、与えられた２系統のデジタル情報に時分割で圧縮処理を施す能力を持つ。デコーダ１１３は、圧縮映像音声データに伸張処理を施すものである。ストリーム制御部１１４は、圧縮映像音声データをハードディスク又は光ディスクに記録する際の付加情報を処理するストリーム制御を行ってストリームデータを生成したり、ハードディスク又は光ディスクから読み出したストリームデータから圧縮映像音声データを抽出したりする。【００１７】  光ディスク制御部１２は、サーボ制御部１２１と、信号処理部１２２と、ホスト制御部１２３とを有する。サーボ制御部１２１は、光ディスクの回転制御、光ピックアップの移動制御、光ピックアップのフォーカス制御等を行う。信号処理部１２２は、光ディスクに対する書き込み、読み出しの信号処理とエラー訂正とを行う。ホスト制御部１２３は、信号処理部１２２とメモリ制御部１３及びデータ転送制御部１４との間のデータのやり取りを行う。【００１８】  さて、図１の映像音声記録再生装置によれば、次のようにして２番組の同時記録が達成される。ここでは、２つの映像音声入力ＩＮ１１，ＩＮ２１を介して並列に与えられる２チャンネルの情報をＨＤＤ３３に記録するものとする。一方の映像音声入力ＩＮ１１は、第１のシステムＬＳＩ１０に与えられ、映像音声処理部１１でデータ圧縮され、データ転送制御部１４を介してＨＤＤ３３に書き込まれる。他方の映像音声入力ＩＮ２１は、第２のシステムＬＳＩ２０に与えられ、映像音声処理部２１でデータ圧縮され、データ転送制御部２４及びデータバス３０を介して第１のシステムＬＳＩ１０に送られ、更にデータ転送制御部１４を介してＨＤＤ３３に書き込まれる。このように、互いに連結された第１及び第２のシステムＬＳＩ１０，２０が各々圧縮処理を実行することにより、２番組の同時記録が達成される。３番組の同時記録が望まれる場合には、第２のシステムＬＳＩ２０のデータ転送制御部２４を介して第３のシステムＬＳＩを接続すればよい。以下、同様にして第４、第５のシステムＬＳＩを接続することも可能である。【００１９】  また、図１の映像音声記録再生装置によれば、ハードディスクから光ディスクへのダビング中でも通常の記録再生動作を実行できる。【００２０】  図１の映像音声記録再生装置は、第２のシステムＬＳＩ２０の映像音声処理部２１のみでも２番組の同時圧縮処理を行う能力を持っている。第２のシステムＬＳＩ２０の２系統の映像音声入力ＩＮ２１，ＩＮ２２は、それぞれＡＤＣ１１１ａ，１１１ｂにてデジタル情報に変換された後、第２のメモリ３２中の各々の入力バッファに格納される。エンコーダ１１２は、両入力バッファに格納された映像音声情報を読み出し、これらの情報をフレーム単位毎に切り替えて圧縮処理し、ストリーム制御部１１４によりそれぞれのストリームデータを生成し、メモリ制御部２３を介して第２のメモリ３２上にある各々のストリームバッファに格納する。これらのストリームデータは、データ転送制御部２４及びデータバス３０を介して第１のシステムＬＳＩ１０に送られ、更にデータ転送制御部１４を介してＨＤＤ３３に書き込まれる。このようにしても、２番組の同時記録が達成される。【００２１】  次に、録画中の番組のリアルタイム��示と追っかけ再生表示との切り替えについて説明する。ここでは、第１のシステムＬＳＩ１０の映像音声入力ＩＮ１１が録画対象であるものとする。【００２２】  第１のシステムＬＳＩ１０の映像音声入力ＩＮ１１は、映像音声処理部１１でデータ圧縮され、データ転送制御部１４を介してＨＤＤ３３に書き込まれる。この録画中の番組のリアルタイム表示のために、当該映像音声処理部１１の映像音声出力ＯＵＴ１が利用される。【００２３】  このようにして第１のシステムＬＳＩ１０が圧縮映像音声データをＨＤＤ３３へ記録している間に、第２のシステムＬＳＩ２０は、第１のシステムＬＳＩ１０のデータ転送制御部１４を介して、ＨＤＤ３３に既に記録された圧縮映像音声データを追っかけ再生表示のために読み出すことができる。読み出された圧縮映像音声データは、映像音声入力ＩＮ１１の同期信号ＳＹＮＣに同期するように第２のメモリ３２上でバッファリングされた後、伸張処理を経て第２のシステムＬＳＩ２０の映像音声出力ＯＵＴ２とされる。この映像音声出力ＯＵＴ２は、第１のシステムＬＳＩ１０に映像音声入力ＩＮ１２として供給される。第１のシステムＬＳＩ１０は、映像音声入力ＩＮ１１と、この映像音声入力ＩＮ１１に同期した映像音声入力ＩＮ１２とが与えられ、これらを切り替えて映像音声出力ＯＵＴ１とする。【００２４】  以上のとおり、図１の映像音声記録再生装置によれば、録画中の番組のリアルタイム表示と追っかけ再生表示との同期をも容易に達成できる。したがって、これらリアルタイム表示と追っかけ再生表示との切り替えに際して映像音声出力ＯＵＴ１に乱れは生じず、シームレスな切り替えが達成される。【００２５】  映像音声入力ＩＮ１１の同期信号ＳＹＮＣに同期するように、第２のシステムＬＳＩ２０における伸張処理後の映像音声情報を第２のメモリ３２上でバッファリングさせてもよい。また、映像音声入力ＩＮ１１の同期信号ＳＹＮＣに同期するように、第２のシステムＬＳＩ２０から得た映像音声情報を第１のシステムＬＳＩ１０が第１のメモリ３１上でバッファリングさせてもよい。【００２６】  なお、第１及び第２のシステムＬＳＩ１０，２０において、映像音声処理部１１，２１の動作を停止させれば、光ディスク制御部１２，２２の単独テストが実施可能である。逆に、光ディスク制御部１２，２２の動作を停止させれば、映像音声処理部１１，２１の単独テストが実施可能である。
【産業上の利用可能性】
【００２７】  以上説明してきたとおり、本発明に係る映像音声記録再生装置は、同時に記録できる番組数を容易に増加させることができ、かつ録画中の番組のリアルタイム表示と追っかけ再生表示との同期をも容易に実現できるという効果を有し、放送番組の記録再生装置等として有用である。
【図１】
2007007454.tif 000002
【図２】
2007007454.tif 000003
【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
複数番組の同時記録が可能な映像音声記録再生装置であって、
各々映像音声入力に圧縮処理を施す機能と、映像音声データに伸張処理を施す機能と、互いの間でデータ転送を実行する機能とを有する複数のＬＳＩと、
前記複数のＬＳＩのうちのいずれかに接続されたディスクドライブと、
前記複数のＬＳＩのうち第１のＬＳＩが映像音声入力に圧縮処理を施して得た映像音声データを前記ディスクドライブへ記録している間に、前記複数のＬＳＩのうち第２のＬＳＩが前記ディスクドライブに既に記録された映像音声データをもとに映像音声出力を得るとき、前記第２のＬＳＩの映像音声出力を前記第１のＬＳＩの映像音声入力に同期させるための同期手段とを備えたことを特徴とする映像音声記録再生装置。
【請求項２】
請求項１記載の映像音声記録再生装置において、
前記複数のＬＳＩの各々は、
前記圧縮処理と前記伸張処理とを司る映像音声処理部と、
前記データ転送を司るデータ転送制御部とを有することを特徴とする映像音声記録再生装置。
【請求項３】
請求項２記載の映像音声記録再生装置において、
前記複数のＬＳＩのうちの少なくとも１つは、光ディスク駆動機構へのアクセスを制御する光ディスク制御部を更に有することを特徴とする映像音声記録再生装置。
【請求項４】
請求項２記載の映像音声記録再生装置において、
前記複数のＬＳＩの各々は、当該ＬＳＩに接続されたメモリへのアクセスを制御するメモリ制御部を更に有することを特徴とする映像音声記録再生装置。
【請求項５】
請求項４記載の映像音声記録再生装置において、
前記同期手段は、前記第２のＬＳＩの映像音声出力が前記第１のＬＳＩの映像音声入力に同期するように、前記第２のＬＳＩが前記ディスクドライブから読み出した映像音声データを当該第２のＬＳＩに接続されたメモリ上でバッファリングさせることを特徴とする映像音声記録再生装置。
【請求項６】
請求項４記載の映像音声記録再生装置において、
前記同期手段は、前記第２のＬＳＩの映像音声出力が前記第１のＬＳＩの映像音声入力に同期するように、前記第２のＬＳＩが伸張処理により得た映像音声出力を当該第２のＬＳＩに接続されたメモリ上でバッファリングさせることを特徴とする映像音声記録再生装置。
【請求項７】
請求項４記載の映像音声記録再生装置において、
前記第２のＬＳＩの映像音声出力は、前記第１のＬＳＩに接続され、
前記同期手段は、前記第２のＬＳＩの映像音声出力が前記第１のＬＳＩの映像音声入力に同期するように、前記第１のＬＳＩが得た前記第２のＬＳＩの映像音声出力を前記第１のＬＳＩに接続されたメモリ上でバッファリングさせることを特徴とする映像音声記録再生装置。
【請求項８】
請求項１記載の映像音声記録再生装置において、
前記複数のＬＳＩのうちの少なくとも１つは、２つの映像音声入力に時分割で圧縮処理を施す機能を有することを特徴とする映像音声記録再生装置。
【手続補正２】
【補正対象書類名】明細書
【補正対象項目名】全文
【補正方法】変更
【補正の内容】
【発明の詳細な説明】
【技術分野】
【０００１】
本発明は、複数番組の同時記録が可能な映像音声記録再生装置に関するものである。
【背景技術】
【０００２】
受信した放送番組に係る映像音声情報をディスク媒体に記録する際には、通例、エンコーダにより映像音声情報に圧縮処理を施す。再生の場合には、伸張処理を実行するためのデコーダを動作させる。
【０００３】
ある従来技術によれば、例えばハードディスクからＤＶＤ（digital versatile disk）へのダビング中でも通常の記録再生動作を実行できるように、録画用の第１エンコーダと、再生用の第１デコーダとに加えて、ダビング用に第２デコーダ及び第２エンコーダが設けられる。ダビングを行わない場合には、第１エンコーダと第２エンコーダとを並列動作させることにより、２番組同時記録を実現することが可能である。更に第１デコーダを併用することで、２番組同時記録を行いつつ別の番組を再生することも可能である（特許文献１参照）。
【特許文献１】特開２００３−２２４８１３号公報
【発明の開示】
【発明が解決しようとする課題】
【０００４】
上記従来技術は、３番組以上の同時記録への拡張性に欠けるものであった。また、録画中の番組のリアルタイム表示と追っかけ再生表示との切り替えに際して、映像音声出力に乱れが生じるという問題もあった。
【０００５】
本発明の目的は、同時に記録できる番組数を容易に増加させることができ、かつ録画中の番組のリアルタイム表示と追っかけ再生表示との同期をも容易に実現できる映像音声記録再生装置を提供することにある。
【課題を解決するための手段】
【０００６】
上記目的を達成するため、本発明は、各々映像音声処理部を有する複数のＬＳＩを連結することで複数番組の同時記録を達成するとともに、あるＬＳＩの入力と他のＬＳＩの出力との間の同期を実現することとしたものである。
【０００７】
具体的に説明すると、本発明に係る映像音声記録再生装置は、複数番組の同時記録が可能な映像音声記録再生装置であって、各々映像音声入力に圧縮処理を施す機能と、映像音声データに伸張処理を施す機能と、互いの間でデータ転送を実行する機能とを有する複数のＬＳＩと、前記複数のＬＳＩのうちのいずれかに接続されたディスクドライブと、前記複数のＬＳＩのうち第１のＬＳＩが映像音声入力に圧縮処理を施して得た映像音声データを前記ディスクドライブへ記録している間に、前記複数のＬＳＩのうち第２のＬＳＩが前記ディスクドライブに既に記録された映像音声データをもとに映像音声出力を得るとき、前記第２のＬＳＩの映像音声出力を前記第１のＬＳＩの映像音声入力に同期させるための同期手段とを備えることとしたものである。
【発明の効果】
【０００８】
本発明によれば、同時に記録できる番組数を容易に増加させることができ、かつ録画中の番組のリアルタイム表示と追っかけ再生表示との同期をも容易に実現できる。
【発明を実施するための最良の形態】
【０００９】
図１は、本発明に係る映像音声記録再生装置の構成例を示している。図１の映像音声記録再生装置は、第１及び第２のシステムＬＳＩ１０，２０と、第１及び第２のメモリ３１，３２と、ハードディスクドライブ（ＨＤＤ）３３と、光ディスク駆動機構３４と、ホスト装置３５とを備えている。
【００１０】
第１のシステムＬＳＩ１０は、映像音声処理部１１と、光ディスク制御部１２と、メモリ制御部１３と、データ転送制御部１４とを有する。映像音声処理部１１は、２系統の映像音声入力ＩＮ１１，ＩＮ１２と、１系統の映像音声出力ＯＵＴ１とを持ち、メモリ制御部１３及びデータ転送制御部１４に接続されている。光ディスク制御部１２もまた、メモリ制御部１３及びデータ転送制御部１４に接続されている。メモリ制御部１３は、第１のメモリ３１に接続されている。映像音声処理部１１及び光ディスク制御部１２は、メモリ制御部１３を介して第１のメモリ３１を共有する。
【００１１】
第２のシステムＬＳＩ２０も同様に、映像音声処理部２１と、光ディスク制御部２２と、メモリ制御部２３と、データ転送制御部２４とを有する。映像音声処理部２１は、２系統の映像音声入力ＩＮ２１，ＩＮ２２と、１系統の映像音声出力ＯＵＴ２とを持ち、メモリ制御部２３及びデータ転送制御部２４に接続されている。光ディスク制御部２２もまた、メモリ制御部２３及びデータ転送制御部２４に接続されている。メモリ制御部２３は、第２のメモリ３２に接続されている。映像音声処理部２１及び光ディスク制御部２２は、メモリ制御部２３を介して第２のメモリ３２を共有する。
【００１２】
更に、第１のシステムＬＳＩ１０の一方の映像音声入力ＩＮ１１のうちの同期信号ＳＹＮＣが第２のシステムＬＳＩ２０の映像音声処理部２１に供給され、第２のシステムＬＳＩ２０の映像音声出力ＯＵＴ２が第１のシステムＬＳＩ１０の映像音声処理部１１に映像音声入力ＩＮ１２として供給される。第１のシステムＬＳＩ１０と第２のシステムＬＳＩ２０との間のデータ転送は、それぞれのデータ転送制御部１４，２４の間に設けられたデータバス３０を介して実行される。ＨＤＤ３３は第１のシステムＬＳＩ１０のデータ転送制御部１４に、光ディスク駆動機構３４は第２のシステムＬＳＩ２０の光ディスク制御部２２に、ホスト装置３５は第２のシステムＬＳＩ２０のデータ転送制御部２４にそれぞれ接続されている。光ディスク駆動機構３４は、例えばＤＶＤ−Ｒ、ＤＶＤ−ＲＷ等の光ディスクが装着されるものである。ホスト装置３５は、例えばマイクロコントローラである。
【００１３】
図２は、第１のシステムＬＳＩ１０の映像音声処理部１１と光ディスク制御部１２との各々の内部詳細構成例を示している。第２のシステムＬＳＩ２０の内部構成は第１のシステムＬＳＩ１０と同様であるので、第１のシステムＬＳＩ１０のみについて説明する。
【００１４】
映像音声処理部１１は、第１及び第２のアナログデジタル変換部（ＡＤＣ）１１１ａ，１１１ｂと、１個のエンコーダ１１２と、１個のデコーダ１１３と、ストリーム制御部１１４とを有する。第１及び第２のＡＤＣ１１１ａ，１１１ｂは、各々１系統の映像音声入力をデジタル情報に変換する。エンコーダ１１２は、与えられた２系統のデジタル情報に時分割で圧縮処理を施す能力を持つ。デコーダ１１３は、圧縮映像音声データに伸張処理を施すものである。ストリーム制御部１１４は、圧縮映像音声データをハードディスク又は光ディスクに記録する際の付加情報を処理するストリーム制御を行ってストリームデータを生成したり、ハードディスク又は光ディスクから読み出したストリームデータから圧縮映像音声データを抽出したりする。
【００１５】
光ディスク制御部１２は、サーボ制御部１２１と、信号処理部１２２と、ホスト制御部１２３とを有する。サーボ制御部１２１は、光ディスクの回転制御、光ピックアップの移動制御、光ピックアップのフォーカス制御等を行う。信号処理部１２２は、光ディスクに対する書き込み、読み出しの信号処理とエラー訂正とを行う。ホスト制御部１２３は、信号処理部１２２とメモリ制御部１３及びデータ転送制御部１４との間のデータのやり取りを行う。
【００１６】
さて、図１の映像音声記録再生装置によれば、次のようにして２番組の同時記録が達成される。ここでは、２つの映像音声入力ＩＮ１１，ＩＮ２１を介して並列に与えられる２チャンネルの情報をＨＤＤ３３に記録するものとする。一方の映像音声入力ＩＮ１１は、第１のシステムＬＳＩ１０に与えられ、映像音声処理部１１でデータ圧縮され、データ転送制御部１４を介してＨＤＤ３３に書き込まれる。他方の映像音声入力ＩＮ２１は、第２のシステムＬＳＩ２０に与えられ、映像音声処理部２１でデータ圧縮され、データ転送制御部２４及びデータバス３０を介して第１のシステムＬＳＩ１０に送られ、更にデータ転送制御部１４を介してＨＤＤ３３に書き込まれる。このように、互いに連結された第１及び第２のシステムＬＳＩ１０，２０が各々圧縮処理を実行することにより、２番組の同時記録が達成される。３番組の同時記録が望まれる場合には、第２のシステムＬＳＩ２０のデータ転送制御部２４を介して第３のシステムＬＳＩを接続すればよい。以下、同様にして第４、第５のシステムＬＳＩを接続することも可能である。
【００１７】
また、図１の映像音声記録再生装置によれば、ハードディスクから光ディスクへのダビング中でも通常の記録再生動作を実行できる。
【００１８】
図１の映像音声記録再生装置は、第２のシステムＬＳＩ２０の映像音声処理部２１のみでも２番組の同時圧縮処理を行う能力を持っている。第２のシステムＬＳＩ２０の２系統の映像音声入力ＩＮ２１，ＩＮ２２は、それぞれＡＤＣ１１１ａ，１１１ｂにてデジタル情報に変換された後、第２のメモリ３２中の各々の入力バッファに格納される。エンコーダ１１２は、両入力バッファに格納された映像音声情報を読み出し、これらの情報をフレーム単位毎に切り替えて圧縮処理し、ストリーム制御部１１４によりそれぞれのストリームデータを生成し、メモリ制御部２３を介して第２のメモリ３２上にある各々のストリームバッファに格納する。これらのストリームデータは、データ転送制御部２４及びデータバス３０を介して第１のシステムＬＳＩ１０に送られ、更にデータ転送制御部１４を介してＨＤＤ３３に書き込まれる。このようにしても、２番組の同時記録が達成される。
【００１９】
次に、録画中の番組のリアルタイム表示と追っかけ再生表示との切り替えについて説明する。ここでは、第１のシステムＬＳＩ１０の映像音声入力ＩＮ１１が録画対象であるものとする。
【００２０】
第１のシステムＬＳＩ１０の映像音声入力ＩＮ１１は、映像音声処理部１１でデータ圧縮され、データ転送制御部１４を介してＨＤＤ３３に書き込まれる。この録画中の番組のリアルタイム表示のために、当該映像音声処理部１１の映像音声出力ＯＵＴ１が利用される。
【００２１】
このようにして第１のシステムＬＳＩ１０が圧縮映像音声データをＨＤＤ３３へ記録している間に、第２のシステムＬＳＩ２０は、第１のシステムＬＳＩ１０のデータ転送制御部１４を介して、ＨＤＤ３３に既に記録された圧縮映像音声データを追っかけ再生表示のために読み出すことができる。読み出された圧縮映像音声データは、映像音声入力ＩＮ１１の同期信号ＳＹＮＣに同期するように第２のメモリ３２上でバッファリングされた後、伸張処理を経て第２のシステムＬＳＩ２０の映像音声出力ＯＵＴ２とされる。この映像音声出力ＯＵＴ２は、第１のシステムＬＳＩ１０に映像音声入力ＩＮ１２として供給される。第１のシステムＬＳＩ１０は、映像音声入力ＩＮ１１と、この映像音声入力ＩＮ１１に同期した映像音声入力ＩＮ１２とが与えられ、これらを切り替えて映像音声出力ＯＵＴ１とする。
【００２２】
以上のとおり、図１の映像音声記録再生装置によれば、録画中の番組のリアルタイム表示と追っかけ再生表示との同期をも容易に達成できる。したがって、これらリアルタイム表示と追っかけ再生表示との切り替えに際して映像音声出力ＯＵＴ１に乱れは生じず、シームレスな切り替えが達成される。
【００２３】
映像音声入力ＩＮ１１の同期信号ＳＹＮＣに同期するように、第２のシステムＬＳＩ２０における伸張処理後の映像音声情報を第２のメモリ３２上でバッファリングさせてもよい。また、映像音声入力ＩＮ１１の同期信号ＳＹＮＣに同期するように、第２のシステムＬＳＩ２０から得た映像音声情報を第１のシステムＬＳＩ１０が第１のメモリ３１上でバッファリングさせてもよい。
【００２４】
なお、第１及び第２のシステムＬＳＩ１０，２０において、映像音声処理部１１，２１の動作を停止させれば、光ディスク制御部１２，２２の単独テストが実施可能である。逆に、光ディスク制御部１２，２２の動作を停止させれば、映像音声処理部１１，２１の単独テストが実施可能である。
【産業上の利用可能性】
【００２５】
以上説明してきたとおり、本発明に係る映像音声記録再生装置は、同時に記録できる番組数を容易に増加させることができ、かつ録画中の番組のリアルタイム表示と追っかけ再生表示との同期をも容易に実現できるという効果を有し、放送番組の記録再生装置等として有用である。
【図面の簡単な説明】
【００２６】
【図１】本発明に係る映像音声記録再生装置の構成例を示すブロック図である。
【図２】図１中の１個のシステムＬＳＩの内部詳細構成例を示すブロック図である。
【符号の説明】
【００２７】
１０，２０  システムＬＳＩ
１１，２１  映像音声処理部
１２，２２  光ディスク制御部
１３，２３  メモリ制御部
１４，２４  データ転送制御部
３０  データバス
３１，３２  メモリ
３３  ハードディスクドライブ（ＨＤＤ）
３４  光ディスク駆動機構
３５  ホスト装置
１１１ａ，１１１ｂ  アナログデジタル変換部（ＡＤＣ）
１１２  エンコーダ
１１３  デコーダ
１１４  ストリーム制御部
１２１  サーボ制御部
１２２  信号処理部
１２３  ホスト制御部
【手続補正３】
【補正対象書類名】図面
【補正対象項目名】全図
【補正方法】変更
【補正の内容】
【図１】
2007007454.tif 000004
【図２】
2007007454.tif 000005
【国際調査報告】
2007007454.tif 000006
2007007454.tif 000007
2007007454.tif 000008
2007007454.tif 000009
2007007454.tif 000010
2007007454.tif 000011